(57)【要約】【課題】少なくとも二枚の基板が隣接する位置に併設される場合に、互いに向合う一対の側縁部のうち一方の側縁部に突起物があったとしても、作業者が適切な位置に各基板を容易に配設することができる。【解決手段】本発明は、互いに向合う一対の側縁部のうち、一方の側縁部には、一方の側縁部から他方の側縁部に向かって突出された凸部１６４が形成され、他方の側縁部には、一方の側縁部の凸部１６４と対応する位置に凹部１６５が形成されるものである。【選択図】      図４
2004235447.tif 000002
【特許請求の範囲】
【請求項１】
少なくとも二枚の基板が隣接する位置に併設され、互いに向合う一対の側縁部を有する遊技機用基板であって、
互いに向合う一対の側縁部のうち、一方の側縁部には、該一方の側縁部から他方の側縁部に向かって突出された凸部が形成され、該他方の側縁部には、前記一方の側縁部の該凸部と対応する位置に凹部が形成されることを特徴とする遊技機用基板。
【請求項２】
請求項１に記載の遊技機用基板であって、
前記一方の側縁部にある前記凸部は複数であって、それに向い合う前記他方の側縁部に対応する前記凹部も複数備えられていることを特徴とする遊技機用基板。
【請求項３】
請求項１に記載の遊技機用基板であって、
前記各基板のうち少なくとも一枚の基板は、その製造工程において同一の形状からなる複数の該基板が相互に連結されて形成され、
前記凸部は、前記各基板間の連結が切断された際に残留する突起物であることを特徴とする遊技機用基板。
【請求項４】
請求項３に記載の遊技機用基板であって、
前記一方の基板には、機器に電源を供給する回路が配備され、前記他方の基板には、前記機器にある内部の電気系統と該機器の外部にある電気系統とを電気的に結合させる回路が配備されることを特徴とする遊技機用基板。
【請求項５】
請求項４に記載の遊技機用基板であって、
前記一対の基板は、遊技機の裏面上部に配設されることを特徴とする遊技機用基板。
【発明の詳細な説明】
【０００１】
【発明の属する技術分野】
本発明は、少なくとも二枚の基板が隣接する位置に併設され、互いに向合う一対の側縁部を有する遊技機用基板に関する。
【０００２】
【従来の技術】
一枚の大きな基板から複数のプリント基板を製造する工程において、従来は”Ｖカット工程”という方法で基板を切断していた（例えば、特許文献１参照）。この”Ｖカット工程”とは、作業者が切断したい箇所をケガいて溝を作成（図１０（ａ）参照）し、その後作業者がその溝を中心として各基板間を割る行為を意味する（図１０（ｂ）参照）。
【０００３】
一方、上記”Ｖカット工程”よりも製造コストの安い”プレス型抜き工程”という方法がある。この”プレス型抜き工程”とは、一枚の大きな基板から、複数のプリント基板を取り出すために、予めプレスによる型抜き部（ミシン目）を形成しておき（図１１（ａ）参照）、作業者がそのミシン目を中心として各基板間を割る行為を意味する（図１１（ｂ）参照）。この”プレス型抜き工程”によれば、”プレス型抜き工程”で用いる金型の形状によっては、一枚の大きな基板の中に、複雑な形状を有する小基板を複数含有させることができる。
【０００４】
【特許文献１】
特開平９−１２９９９３号公報（第１−５頁、第１図）
【０００５】
【発明が解決しようとする課題】
しかしながら、上述の”プレス型抜き工程”は、各基板間を連結するミシン目を中心として各基板間を分割するので、分割された各基板には、バリが残ってしまうという問題が生ずる。このため、作業者がその各基板を隣り合わせて配設する際には、その作業者は、各基板にある各バリが相互に接触し合うため、各基板を適切な位置に配設することができなかった。
【０００６】
特に遊技機用基板は、遊技機裏面若しくは遊技機内部の狭いスペースに複数の基板を遊技機内部に配設する必要があり、遊技機を設計するにあたり各基板同士を互いに接近させて配設せざるを得ない場合がある。このような場合、バリを有する複数の基板を隣接した位置に配設する作業は、遊技機を組み立てる作業者にとって困難であった。
【０００７】
一方、作業者が各基板に形成された各バリを削れば、その作業者は、各基板を適切な位置に配設することができる。ところが、作業者が逐一各バリを削らなければならないので、その作業者の手間が増大する。
【０００８】
そこで、本発明は以上の点に鑑みてなされたものであり、少なくとも二枚の基板が隣接する位置に併設される場合に、互いに向合う一対の側縁部のうち一方の側縁部に突起物があったとしても、作業者が適切な位置に各基板を容易に配設することのできる遊技機用基板を提供することを課題とする。
【０００９】
【課題を解決するための手段】
本願に係る発明は、上記課題を解決すべくなされたものであり、少なくとも二枚の基板（第一基板１６１、第二基板１６２）が隣接する位置に併設され、互いに向合う一対の側縁部を有する遊技機用基板であって、互いに向合う一対の側縁部のうち、一方の側縁部には、該一方の側縁部から他方の側縁部に向かって突出された凸部が形成され、該他方の側縁部には、一方の側縁部の該凸部と対応する位置に凹部が形成されることを特徴とする。なお、一方の側縁部にある凸部は複数であって、それに向い合う他方の側縁部に対応する凹部も複数備えられていてもよい。
【００１０】
このような本願に係る発明によれば、一方の側縁部には一方の側縁部から他方の側縁部に向かって突出された凸部が形成され、他方の側縁部には凸部を包含可能な凹部が形成されるので、作業者は、一方の側縁部にある凸部を他方の側縁部にある凹部に挿入することにより、適切な位置に複数の基板を容易に隣り合わせて配設することができる。
【００１１】
上記発明において、前記二枚の基板のうち少なくとも一の基板は、その製造工程において同一の形状からなる複数の基板が相互に連結されて形成され、凸部は各基板間の連結が切断された際に残留する突起物（バリ）であってもよい。これにより、もし”プレス型抜き工程”で分割された基板に上記バリが残っていたとしても、他方の基板にはそのバリを包含する凹部があるため、作業者は、一方の基板にあるバリを他方の基板にある凹部に嵌入することにより、適切な位置に各基板を容易に隣り合わせて配設することができる。
【００１２】
上記発明において、一方の基板には、機器に電源を供給する回路（電源回路）が配備され、他方の基板には、機器にある内部の電気系統と機器の外部にある電気系統とを電気的に結合させる回路（外部中継回路）が配備されることが好ましい。これにより、一般的に遊技機では、電源回路が配備された基板と外部中継回路が配備された基板とが隣り合わされて配設されるケースが多くあり、このような場合であっても、作業者は、適切な位置に両基板を容易に隣り合わせて配設することができる。
【００１３】
上記発明において、一対の基板は遊技機の裏面上部に配設されることが好ましい。これにより、電源回路が配備された基板と外部中継回路が配備された基板とが遊技機の構成上、両基板がその遊技機の裏面上部に隣接して配設されなければならない場合であっても、作業者は、適切な位置に両基板を容易に隣り合わせて配設することができる。
【００１４】
【発明の実施の形態】
［第一実施形態］
（遊技機用基板の基本構成）
本発明に係る遊技機用基板について図面を参照しながら説明する。図１は、本実施形態に係る遊技機１００（機器）の正面図である。この遊技機１００は、例えば、回胴式遊技機又はパチンコ遊技機等が挙げられる。図２は、遊技機１００の背面の斜視図である。図３は、遊技機１００の背面図である。同図に示すように、遊技機１００の上部には、補給する遊技球を格納する補給タンク１１０が配設されている。
【００１５】
この補給タンク１１０には、遊技球を整列させながら流下させるプラスチック製のタンクレール１１１が接続されている。このタンクレール１１１は、補給タンク１１０から流下してくる遊技球を球区切り装置部１１７に供給する。球区切り装置部１１７は、発射・払出制御部１５０によって駆動制御される球区切り制御ソレノイド１１７ａと、遊技球を下方に向けて１個宛払い出しするための払出スプロケット１１７ｂと、流下する遊技球が払出スプロケット１１７ｂを通過したことを検出する払出球検出センサ１１７ｃとからなり、遊技機前面に設けられた球受け上皿１０３へと連通する払出し流路１７０へ向けて、遊技状態に応じた所定個数の賞球又は貸球を供給する。
【００１６】
補給タンク１１０の下方には、本実施形態では、画像制御部１２０と、主制御部１３０と、電源供給部１４０と、発射・払出制御部１５０とが配設されている。画像制御部１２０と発射・払出制御部１５０は、主制御部１３０と電気的信号線でそれぞれ接続されている。
【００１７】
主制御部１３０は、遊技機１００の主な動作を制御するものである。主制御部１３０は、遊技盤１０４上に配置された始動入賞口１０２、一般入賞口１０５、大入賞口１０６に遊技球が入賞したことを検出し、それぞれの検出信号に応じて予め定められた個数の遊技球を賞球として払い出すための制御信号を発射・払出制御部１５０に出力する。
【００１８】
さらに、主制御部１３０は、遊技盤１０４上に配置された始動入賞口１０２に遊技球が入賞したことを検知した場合には、大当たりになるかを判定する大当たり判定手段を持つと共に、その判定結果に応じた演出画像パターンを決定し、決定した演出画像パターンを含む制御信号を画像制御部１２０に出力する。
【００１９】
この主制御部１３０から制御信号が入力された画像制御部１２０は、入力された制御信号に含まれる演出画像パターンに応じた演出画像を液晶表示画面１０１に表示する。
【００２０】
また、主制御部１３０から制御信号が入力された発射・払出制御部１５０は、入力された制御信号に含まれる賞球個数に基づいて、球区切り制御ソレノイド１１７ａを駆動制御して払出スプロケット１１７ｂを回動自在な状態とするので、中継路１１２及び球区切り装置部１１７にある遊技球は、その自重で払出スプロケット１１７ｂを回動させながら流下する。
【００２１】
この発射・払出制御部１５０は、発射・払出制御部１５０に電気的に接続された払出球検出センサ１１７ｃで検出された払出球検出信号に基づいて遊技球の数をカウントする。発射・払出制御部１５０は、そのカウント数が入力された制御信号に含まれる賞球個数と一致した場合には、球区切り制御ソレノイド１１７ａを駆動制御し、払出スプロケット１１７ｂが回動自在とならないように規制する。
【００２２】
また、発射・払出制御部１５０は、遊技機前面に設置された発射ハンドル装置１０７が遊技者によって操作されたことを検出して遊技機発射装置（図示せず）を駆動制御し、球受け上皿１０３に貯留された遊技球を順次遊技盤面に向けて発射する。
【００２３】
また、補給タンク１１０の側方には、図３に示すように、本実施形態では、遊技機用基板１６０が配設されている。この遊技機用基板１６０は、本実施形態では、第一基板１６１と第二基板１６２とが隣接する位置に併設され、互いに向合う一対の側縁部を有するものである。
【００２４】
具体的には、図４に示すように、互いに向合う一対の側縁部のうち、一方の側縁部には、一方の側縁部から他方の側縁部に向かって突出された凸部１６４ａが形成され、他方の側縁部には、一方の側縁部の凸部１６４ａと対応する位置に凹部１６５ａが形成されている。
【００２５】
なお、一方の側縁部にある凸部１６４ａ，１６４ｂは複数であって、それに向い合う他方の側縁部に対応する凹部１６５ａ，１６５ｂも複数備えられていてもよい。また、この凹部１６５ａ，１６５ｂは、凸部１６４ａ，１６４ｂを包含可能なものが好ましい。
【００２６】
ここで、第一基板１６１又は第二基板１６２のうち少なくとも一方の基板は、その製造工程において同一の形状からなる複数の基板が相互に連結されて形成されている。図５に示すように、例えば、第一基板１６１ａ，１６１ｂの各基板間は、ミシン目１６３で連結されている。また、図６に示すように、第二基板１６２ａ，１６２ｂの各基板間も同様にミシン目１６３で連結されている。複数の連結された第一基板１６１ａ，１６１ｂ（又は第二基板１６２ａ，１６２ｂ）は、遊技機１００を製造する段階で作業者の手により基板毎に分割される。
【００２７】
この分割された際に、各第一基板１６１ａ，１６１ｂ間には、凸部１６４ａ，１６４ｂが形成される。すなわち、凸部１６４ａ，１６４ｂは、本実施形態では、各基板間の連結（ミシン目１６３）が切断された際に残留する突起物（バリ）からなるものである。
【００２８】
この第一基板１６１ａ，１６１ｂと向合う第二基板１６２ａ，１６２ｂの側縁部には、第一基板１６１ａ，１６１ｂに形成された凸部１６４ａ，１６４ｂと対向する位置に、その凸部１６４ａ，１６４ｂを包含可能な凹部１６５ａ，１６５ｂが予め形成されている。
【００２９】
作業者が第一基板１６１ａ，１６１ｂ及び第二基板１６２ａ，１６２ｂを遊技機１００に配設する場合には、その作業者は、第一基板１６１ａ，１６１ｂに形成された凸部１６４ａ，１６４ｂを、第二基板１６２ａ，１６２ｂに形成された凹部１６５ａ，１６５ｂに嵌入した後に、第一基板１６１ａ，１６１ｂ及び第二基板１６２ａ，１６２ｂを遊技機１００に取り付ける。
【００３０】
なお、第一基板１６１又は第二基板１６２のうち一方の基板には、遊技機１００に電源を供給する回路が配備され、他方の基板には、遊技機１００にある内部の電気系統と遊技機１００の外部にある電気系統とを電気的に結合させる回路が配備されてもよい。なお、第一基板１６１及び第二基板１６２は、遊技機１００の裏面上部に配設されてもよい。
【００３１】
なお、複数の遊技機用基板１６０は、上記実施形態のように遊技機１００裏面又は遊技機１００内部に直接配設されるものであってもよい。又は複数の遊技機用基板１６０は、遊技機１００裏面又は遊技機１００内部に配設された基板ケースの内部に収容されたものであってもよい。なお、実施形態では二枚の基板を用いて説明しているが、これに限定されるものではなく、複数の基板のうち少なくとも二枚についても可能である。
【００３２】
なお、図７は、第一基板１６１及び第二基板１６２がリブ１８０上に配備される際の位置関係を示す斜視図である。図８（ａ）は、第一基板１６１及び第二基板１６２がリブ１８０上に配備される際の位置関係を示す正面図である。図８（ｂ）は、第一基板及び第二基板がリブ１８０上に配備される際のＡ−Ａ’間の断面を示す図である。図７及び図８に示すように、互いに向合う一対の側縁部の裏面の基板取付け部位には、本実施形態では、所定の幅を有する一条のリブ１８０が形成されている。本実施形態では、これら互いに向合う一対の基板がリブ１８０の側面に接触した状態で取付けられる。
【００３３】
これにより、取付けられた第一基板１６１及び第二基板１６２がリブ１８０上に配備されるので、設計者は、これら各基板が撓むのを防止することができる。また、第一基板１６１及び第二基板１６２がリブ１８０で支えられているので、設計者は、各基板を該当する位置に取付けた際の基板取付け強度を向上させることができる。
【００３４】
（遊技機用基板による作用及び効果）
上記構成を有する本願に係る発明によれば、第一基板１６１と第二基板１６２とが互いに向合う一対の側縁部のうち一方の側縁部には、一方の側縁部から他方の側縁部に向かって突出された凸部１６４が形成され、他方の側縁部には凸部１６４を包含可能な凹部１６５が形成されるので、作業者は、一方の側縁部にある凸部１６４を他方の側縁部にある凹部１６５に嵌入することにより、第一基板１６１と第二基板１６２とを適切な位置に隣り合わせて配設することができる。
【００３５】
特に、”プレス型抜き工程”で分割された基板に上記バリが残っていたとしても、他方の基板にはそのバリを包含する凹部１６５があるため、作業者は、一方の基板にあるバリを他方の基板にある凹部１６５に嵌入することにより、各基板を適切な位置に隣り合わせて配設することができる。
【００３６】
また、一般的に遊技機１００では、電源回路が配備された基板と外部中継回路が配備された基板とを隣り合わせて配設するケースが多くあり、このような場合であっても、作業者は、両基板を適切な位置に隣り合わせて配設することができる。更に、電源回路が配備された基板と外部中継回路が配備された基板とが遊技機１００の構成上、その遊技機１００の裏面上部に配設されなければならない場合であっても、作業者は、両基板を適切な位置に隣り合わせて配設することができる。
【００３７】
［第二実施形態］
（球有無検知アクチュエータの基本構成）
従来から、タンクレール１１１と中継路１１２との接続箇所の近傍にはスプロケット１１４が配設されている。このスプロケット１１４は、軸１１４ａを中心に回動自在に軸着されており、タンクレール１１１から供給される複数の遊技球の流下とともに回動するので、スプロケット１１４は、中継路１１２へ流下する遊技球を均一に配列することができる。
【００３８】
しかしながら、遊技球がスプロケット１１４に捕らえられる際に、遊技球とスプロケット１１４の歯車との位置関係によっては、その遊技球がスプロケット１１４の歯車とタンクレール１１１の底部との間に挟まることがあった。このように遊技球がスプロケット１１４の歯車とタンクレール１１１の底部との間に挟まると、そのスプロケット１１４が回動しなくなるため、次の遊技球が中継路１１２に流下されなくなり、複数の遊技球がスプロケット１１４の近傍で詰まるという問題が発生する。
【００３９】
一方、設計者は、中継路１１２自体の流路の形状を修正することにより上記問題点を回避することができる。ところが、この場合に設計者は、中継路１１２全体を成型させる金型を修正しなければならず、金型の修正に多大な時間と費用を費やさなければならなかった。
【００４０】
そこで、本実施形態では、球有無検知アクチュエータ１１６を中継路１１２の一部に配設し、この球有無検知アクチュエータ１１６の形状のみを変更することにより、スプロケット１１４の近傍で生じる玉詰まりを容易に回避することとした。本実施形態の詳細な説明は以下の通りである。
【００４１】
図９は、球有無検知アクチュエータ１１６の近傍の構成を示す図である。同図に示すように、球有無検知アクチュエータ１１６は、中継路１１２の流路の一部を構成するものである。具体的に、球有無検知アクチュエータ１１６は、本実施形態では、中継路１１２の遊技球の有無を検出する球検出スイッチ１１３の近傍に配設され、且つその球検出スイッチ１１３に設けられたスイッチ１１３１を可動可能（ＯＮ／ＯＦＦ）にする位置に配設される。また、球有無検知アクチュエータ１１６は、本実施形態では、中継路１１２の流路のうち、大きく湾曲された位置に配設される。
【００４２】
この球有無検知アクチュエータ１１６は、タンクレール１１１から供給された遊技球の自重により、球有無検知アクチュエータ１１６を支持する支持部１１５を中心として下方に回動する。この下方に回動した球有無検知アクチュエータ１１６は、球有無検知アクチュエータ１１６の下方に設けられたスイッチ１１３１をＯＮにする（図９中の矢印を参照のこと）。
【００４３】
一方、球有無検知アクチュエータ１１６は、球有無検知アクチュエータ１１６上に遊技球が無ければ、スイッチ１１３１を可動させるバネの反動により支持部１１５を中心として上方に回動するとともに、スイッチ１１３１は該バネによってＯＦＦ状態へ自動復帰する。
【００４４】
また、球有無検知アクチュエータ１１６の形状は、本実施形態では、払出動作が行われていない状態で中継路１１２内に遊技球を充填させたときに、充填された遊技球のうち、スプロケット１１４の近傍にある遊技球がスプロケット１１４の歯車に捕らえられる位置関係（図９に示す「位置Ａ」）に配置されるように形成される。
【００４５】
なお、球有無検知アクチュエータ１１６が中継路１１２内に充填された遊技球の自重により支持部１１５を中心として下方に回動し、球有無検知アクチュエータ１１６の下方にあるスイッチ１１３１が上記回動された球有無検知アクチュエータ１１６によりＯＮしたときに、中継路１１２内に充填された少なくとも一の遊技球がスプロケット１１４の歯車に捕らえられる位置関係（図９に示す「位置Ａ」）に配置されることが好ましい。またこの位置関係が成立するように、球有無検知アクチュエータ１１６の形状を決定するのが好ましい。
【００４６】
なお、球有無検知アクチュエータ１１６は、本実施形態では、交換可能に配設されるのが好ましい。具体的に、球有無検知アクチュエータ１１６は、脱着可能な支持部１１５で支持されている。これにより、設計者は、支持部１１５を取り外すことにより、現在配設されている球有無検知アクチュエータ１１６を容易に取り外すことができる。この結果、作業者は、支持部１１５を取り外すことにより、現在の球有無検知アクチュエータ１１６を他の形状の球有無検知アクチュエータ１１６に容易に交換することができる。
【００４７】
（球有無検知アクチュエータによる作用及び効果）
上記構成を有する本願に係る発明によれば、中継路１１２内に充填された遊技球が、球有無検知アクチュエータ１１６の形状によりスプロケット１１４の歯車に丁度良く捕らえられる位置関係に配置されるので、設計者は、球有無検知アクチュエータ１１６の形状を変更するだけで、スプロケット１１４の近傍で生じる玉詰まりを容易に回避することができる。
【００４８】
この結果、設計者は、中継路１１２全体の金型を修正することなく、球有無検知アクチュエータ１１６の形状のみを変更することにより、設計段階においてスプロケット１１４の近傍で遊技球が詰まらないような構成を容易に決定することができる。
【００４９】
【発明の効果】
以上説明したように本発明によれば、少なくとも二枚の基板が隣接する位置に併設される場合に、互いに向合う一対の側縁部のうち一方の側縁部に突起物があったとしても、作業者は適切な位置に各基板を容易に配設することができる。
【図面の簡単な説明】
【図１】第一実施形態における遊技機の正面を示す図である。
【図２】第一実施形態における遊技機の背面を示す図である（その１）。
【図３】第一実施形態における遊技機の背面を示す図である（その２）。
【図４】第一実施形態における第一基板と第二基板とを突き合わせて配置させた遊技機用基板を示す図である。
【図５】第一実施形態における複数の第一基板が予め相互に連結された全体の基板を示す図である。
【図６】第一実施形態における複数の第二基板が予め相互に連結された全体の基板を示す図である。
【図７】第一実施形態における第一基板及び第二基板がリブ上に配備される際の位置関係を示す図である。
【図８】図８（ａ）は、第一基板１６１及び第二基板１６２がリブ１８０上に配備される際の位置関係を示す正面図である。図８（ｂ）は、第一基板及び第二基板がリブ１８０上に配備される際のＡ−Ａ’間の断面を示す図である。
【図９】第二実施形態に係る球有無検知アクチュエータが配設されている周辺の構造を示す図である。
【図１０】従来における「Ｖカット工程」の内容を示す図である。
【図１１】従来における「プレス型抜き工程」の内容を示す図である。
【符号の説明】
１００…遊技機、１０１…液晶表示画面、１０２…始動入賞口、１０３…球受け上皿、１０４…遊技盤、１０５…一般入賞口、１０６…大入賞口、１０７…発射ハンドル装置、１１０…補給タンク、１１１…タンクレール、１１２…中継路、１１３…球検出スイッチ、１１４…スプロケット、１１４ａ…軸、１１５…支持部、１１６…球有無検知アクチュエータ、１１７…球区切り装置部、１１７ａ…制御ソレノイド、１１７ｂ…払出スプロケット、１１７ｃ…払出球検出センサ、１２０…画像制御部、１３０…主制御部、１４０…電源供給部、１５０…発射・払出制御部、１６０…遊技機用基板、１６１…第一基板、１６２…第二基板、１６３…ミシン目、１６４…凸部、１６５…凹部、１７０…払出し流路、１８０…リブ、１１３１…スイッチ
【図１】
2004235447.tif 000003
【図２】
2004235447.tif 000004
【図３】
2004235447.tif 000005
【図４】
2004235447.tif 000006
【図５】
2004235447.tif 000007
【図６】
2004235447.tif 000008
【図７】
2004235447.tif 000009
【図８】
2004235447.tif 000010
【図９】
2004235447.tif 000011
【図１０】
2004235447.tif 000012
【図１１】
2004235447.tif 000013